(57)【要約】      （修正有）【課題】新設ドア枠を１時間足らずの現場作業で簡易に溶接を不要となる施工で、歪みなくまた既存枠の開口寸法を極力保つ。【解決手段】既設のドア枠に対しクリアランスを設け新設のドア枠をスライドするようにはめ込み左右前後のバランスをライナーで調整し既設枠にビス止めする。上下左右の隙間は充填剤を注入することにより強度を高め施工箇所が見える状態で施工が可能である。新規枠の曲げは接合部が無いように一貫した曲げ物とし縦枠と横枠との接合は溶接とする。枠の特徴は、平板を押しつぶす曲げ方を行うことにより平板の強度を向上させる。丁番側のビス穴から既設の枠まで、新設の枠と一体となる様固定することにより強度を高める。枠周り特に受け側は後付けの曲げ物を内部よりビスにより固定し外部からビスが見えない構造とする。内部の見え掛り部分の処理は、平板を両面テープ及び接着剤を用いて貼り付け新規枠との取り合いは充填剤等で補修する。【選択図】図１
2010059666.tif 000002
【特許請求の範囲】
【請求項１】
縦枠と横枠のそれぞれが前面部及び後面部をカバーする曲げ部がない構造であって、縦枠と横枠の接合部を溶接で固定し、既設のドア枠のゆがみ、ひねり、傾きをライナーの挿入により調整できることを特徴とするドア枠改装構造。
【請求項２】
縦枠と横枠のそれぞれが接合部のない一体構造であり、曲げつぶし加工により枠強度が増した構造で、既設枠に直接嵌め込む構造の請求項１のドア枠改装構造。
【請求項３】
請求項１、２のドア枠改装構造の新設枠を使用し、既設枠と新設枠の間にライナーを嵌め込むことで、ゆがみ、ひねり、傾きを調整し、既設枠と新設枠の間に充填剤を注入することを特徴とするドア枠改装工法。
【発明の詳細な説明】
【技術分野】
【０００１】
本発明は、既設のドア枠の改装構造であって、既設ドア枠を利用する簡易改装工法に関する。          
【背景技術】
【０００２】
老朽化したドア及びドア枠をリフォームする場合、既存ドア枠から取り替えていては、費用と工期がかかるので、既存ドア枠を残したカバー工法が用いられる。その場合、新設ドア枠の強度を確保し、現場での溶接作業をなくす工夫がされているが、特許文献１の方法では、アンカーを介して新設ドア枠をプラモデルのように現場にて組立取り付けをしなければならず、現場での調整作業が難しく熟練した作業員が必要になる工法となっている。
【０００３】
また、特許文献２の工法でも金属下地材を必要としているため、既存開口部の広さを十分に確保できる構造ではなく、部品点数も多く下地材を既設枠に固定するにも熟練した作業員が必要である。本発明は、下地材は使用せず新設ドア枠で強度を出し既設枠に固定する方法を取り入れた。特許文献２において既設枠と新設枠とを強度確保の為の充填剤の注入に際し、枠の上部からの注入を主とし加圧ポンプ等による加圧注入を用いなければならない又、注入の際に満遍なく注入されているか視覚による確認が出来ない。本発明は加圧ポンプを使用しないため電源の確保が必要ない。又病院等公共の施設の施工の場合内部電源を使用すると万が一の漏電の際には入院患者の生命の危険が生じる。又、発電機を用いた場合は延長コードを使用するため患者の通行に支障が生じる。
【特許文献１】特開平１０−２５２３５３
【特許文献２】特開２００１−３２３７３４
【発明の開示】
【発明が解決しようとする課題】
【０００４】
既存ドア枠と新設ドア枠の間新規ドアを固定する下地材を使用せず、既存開口部の広さを十分に確保する。現場で既存ドア枠のゆがみ、ひねり、傾きを調整したうえで新設ドア枠を既設枠に取り付ける。施工時間を約１時間で完了するように短縮する。従来の工法同等にドア枠強度を確保する。又熟練した作業員でなくても充電式のドライバー及び充電式ドリルなどの簡易作業工具で施工できる。加圧ポンプを使用しないため部品機材コストを抑えられる。下地材を使用しないためドア枠の製品コストが抑えられる。病院など入院患者がいる施設等でも機械による漏電および引火の可能性を排除するため電源、溶接機、簡易発電機および延長コードを使用しない。
【課題を解決するための手段】
【０００５】
図１Ａのように１枚板を曲げつぶし加工し既存ドア枠と新設ドア枠の間に余分な介在物をなくし、既存開口部の広さを十分に確保する。
【０００６】
曲げつぶし加工により強度を保ち縦枠と横枠との接合は溶接にて行い枠その物の強度を出し現場で既存ドア枠のゆがみ、ひねり、傾きを調整できる構造としている、既設ドア枠と新設ドア枠の上部、左右にクリアランスを設け、新設のドア枠を屋外側からスライドするように嵌め込み左右前後のバランスをライナーで調整し既設枠にビス止めする。上下、左右の隙間は充填剤を注入することにより、ゆがみ等を補正した後の形状を固定するとともに強度を高める。ライナーの材質は金属製又は金属と同等の圧縮強度を持つプラスチック製とする。
【０００７】
図１の様に外部から内部へ新規枠をスライドしてはめ込むため施工時間を約１時間で完了するように短縮できる。
既存ドア枠の前面部及び後面部の見え掛り部分をリフォームする必要がある場合には、新設ドア枠とは別に化粧カバー板を両面テープ及び接着剤を用いて貼り付け新規枠との取り合いは充填剤で補修する。
【０００８】
図１のように曲げつぶし加工により枠の厚さが２倍になり、ドア枠強度を確保し既設枠と新設枠との充填剤の注入によりさらに面接着強度が増しドアの強度を確保する。
【０００９】
ドアの改修工事は、建て付け、充填剤の充填等常に熟練した作業員が必要となり技術の指導等人材育成が急務で教育費用も掛かる。本発明は、熟練した作業員でなくても充電式のドライバー及び充電式ドリルなどの簡易作業工具で施工でき、注入の際は、ドア枠がスライド式で収めているため視覚確認しながら充填財を充填できる構造である。
【００１０】
特許文献２は、加圧ポンプを使用し充填剤を充填するためポンプの費用が発生するが、本発明は手動式でも充填可能なため機材コストが軽減ざれる。又電源の確保も必要なく延長コードも用いない工法である。
【００１１】
特許文献１、特許文献２のような下地材を使用せずライナーの調整のみで施工できるためドア枠の製品コストが、約半分に軽減される。
【００１２】
特許文献２は、病院など入院患者がいる施設等でも機械による漏電の可能性があるが本発明は、電源、簡易発電機および延長コードを使用しない。よって寄り安全性が向上する。
【００１３】
施工時間は、特許文献２は数時間の施工で１日２〜３軒に対して本発明は、１日（８時から１７時まで）で４〜５軒の施工が可能である。特許文献１、特許文献２においては、熟練した作業員が必要となるが本発明は、作業工具も軽減され熟練工で無くとも施工出来るドア枠スライド工法となっている。
【発明の効果】
【００１４】
請求項１の縦枠と横枠のそれぞれが前面部及び後面部をカバーする曲げ部がない構造であって、縦枠と横枠の接合部を溶接で固定した枠を、既設枠に直接スライド式に嵌め込む構造、既設のドア枠のゆがみ、ひねり、傾きをライナーの挿入により調整できることを特徴とするドア枠改装構造で既設枠と新規枠との施工の際の調整時間が従来工法より短縮され熟練工で無くとも施工出来る工法である。
【００１５】
請求項２の縦枠と横枠のそれぞれが接合部のない一体構造であり、曲げつぶし加工により枠強度が増しまた、金属特有バリで施工中及び引き渡し後においても枠による負傷が無くドアの安全性を向上させる。
【００１６】
請求項１、２のドア枠改装構造の新設枠を使用し、既設枠と新設枠の間にライナーを嵌め込むことで、ゆがみ、ひねり、傾きを調整し、既設枠と新設枠の間に充填剤を視覚確認しながら注入することを特徴とするドア枠改装工法で確認作業に従事しながら施工性を向上する。
【００１７】
請求項３、の既設枠と新設枠との間に充填剤を注入するときに注入口に特徴を持ち
既設枠と新設枠との間の注入の再に枠の細部まで注入することを特徴とする工法で
既設枠と新設枠との充填剤の注入の際に機械的な加圧ポンプ等を使用せず簡易的な手動ガンで施工することにより工具コストを抑えることが出来る。
【発明を実施するための最良の形態】
【００１８】
以下図面の例に従って本発明を具体的に説明する。図１図２のＡは新設ドア枠である。Ｂは、既設ドア枠である。縦、横の断面の大矢印方向から既設ドア枠にスライドするように新規ドア枠をはめ込む。
【００１９】
既設のドア枠Ｂに合わせて新規ドア枠を附属のライナーにて調整し枠どうしをビスで固定する。
【００２０】
既設ドア枠と新設ドア枠との隙間に充填剤１、を注入する。
【００２１】
内部造作２に関しては、建物に合せた金属、木、プラスチック等を接着剤等で固定する。
【実施例】
【００２２】
図３は、施工前写真、図４は、施工後写真である。図５は、施工前のドア枠の状況を示し、図６は、施工後の状況を示す、開口寸法は、縦方向に約１ｃｍから２ｃｍ、横方向に１ｃｍから２ｃｍ既設枠と見分けがつかない開口である。
【産業上の利用可能性】
【００２３】
現状のドア取替は、作業時間、製品コスト等の問題がある。
本発明は、特許文献２の作業時間を約半分に軽減し加圧ポンプが必要ないため器械コストも削減できる。近年気候変動により自然災害が多く竜巻、大雨、水害、台風等が日本列島を直撃し地球温暖化により今後被害が拡大する可能性が大である。そこで築年数数十年たった建物、マンション、アパート、ホテル、病院、学校、公共施設等の取替え工事において本発明の利用性が大きい。又、現場で発生する騒音問題も騒音が小さく、産業廃棄物においても既設のドア本体のみになる。特にスチールドア、アルミドアは、リサイクルでき環境問題においてもエコ工法として推奨できる。
【図面の簡単な説明】
【００２４】
【図１】本発明の新設ドア枠を既設ドア枠に取り付けた、横断面図である。左右ともライナーと充填剤を間に介しビス止めされている。
【図２】本発明の新設ドア枠を既設ドア枠に取り付けた、縦断面図である。上部は左右の構造と同じであるが、下部は既存ドア枠に直接ビス止めされる施工現場において若干のすき間が生じる場合充填剤を注入する。      化粧カバー板２は、既設の建物によって構造が異なるので金属、木、プラスチック等を接着剤、両面テープで固定する。      充填剤１は、全て見える状態で施工できる。既設ドア枠と新設ドア枠の奥まで充填剤を充填するに当たって別途簡易附属治具を用いて充填する。
【図３】施工前のドアを外側から見た状況。
【図４】施工後のドアを外側から見た状況。
【図５】施工前のドア枠の内側の状況。
【図６】施工後のドア枠の内側の状況。
【符号の説明】
【００２５】
Ａ  新設ドア枠
Ｂ  既設ドア枠
１  充填剤
２  化粧カバー板（内部造作材）
【図１】
2010059666.tif 000003
【図２】
2010059666.tif 000004
【図３】
2010059666.tif 000005
【図４】
2010059666.tif 000006
【図５】
2010059666.tif 000007
【図６】
2010059666.tif 000008